(57)【特許請求の範囲】
【請求項１】
玄関子機（АＱ1）を室内親機（ＢＱ1）を介して増設インターホン（ＣＱ1）に接続し、
前記室内親機は、前記玄関子機と通話を行なう前記増設インターホンの送受器（２３）のフックアップを検出するフックアップ検出回路（１１）と、前記フックアップ検出回路のフックアップ検出信号が入力されるＣＰＵ（２０）の制御により前記増設インターホンの電源供給ライン（Ｌ3）を介して電源供給を行なう増設インターホン電源供給回路（１０）とを備え、
前記増設インターホン電源供給回路は、前記フックアップ検出時に前記ＣＰＵにより制御用端子（１０ｃ）へ制御信号が出力されてオンされる制御用トランジスタ（Ｑ2）と、前記制御用トランジスタがオンのとき前記増設インターホンへの電源供給を行なう電源供給用トランジスタ（Ｑ1）と、前記制御用トランジスタをスピードアップさせてオンさせるため前記制御用端子から前記制御用トランジスタに接続されたスピードアップ用コンデンサ（Ｃ1）と、前記電源供給ラインがショートされているとき、前記電源供給用トランジスタによって前記電源供給ラインへ前記電源供給が行なわれていた場合、前記制御用トランジスタへのバイアスを減少させてオフさせるため前記制御用端子からダイオード（Ｄ2）及び抵抗（Ｒ6）を介して基準電位点へ至る直列回路から成るバイアス減少回路とを有することを特徴とするインターホン装置。
【発明の詳細な説明】
【０００１】
【発明の属する技術分野】
【０００２】
本発明はインターホン装置に係わり、特に室内親機から増設インターホンへ給電する際、室内親機と増設インターホンを接続する電源供給ラインが誤接続等で短絡された場合、室内親機に設けられた電源回路及び電源供給回路等の回路が保護されるインターホン装置に関する。
【従来の技術】
【０００３】
従来のインターホン装置は図２に示すように、カメラアイ５１ａ、スピーカ５１ｂ、マイク５１ｃ、呼出釦５１ｄを備えた玄関子機ＡＱ2と、ＬＥＤ電源回路５２、映像阻止ローパスフィルタ５３、音声阻止ローパスフィルタ５４、常開接点５６ａ、常閉接点５６ｂ、切換接点５６ｃからなる１組の接点５６を有する待受時・モニタ時切替リレー５５、ハイブリット回路５７、受話器５８ａ、送話器５８ｂを有する送受器５８、受話アンプ５９ａ、送話アンプ５９ｂ、増設インターホン電源供給回路６０、フックアップ検出回路６１、ＡＣ１００Ｖが入力されるＡＣ／ＤＣ変換回路６２及びＣＰＵ７０を備えた室内親機ＢＱ2と、定電圧回路７１、２線４線変換回路７２、受話器７３ａ、送話器７３ｂを有する送受器７３、受話アンプ７４ａ、送話アンプ７４ｂを備えた増設インターホンＣＱ2で構成される。
【０００４】
玄関子機ＡＱ2の端子Ｔ21と端子Ｔ22はラインＬ11、Ｌ12（本線及び基準電位点線）を介して室内親機ＢＱ2の端子Ｔ23と端子Ｔ24にそれぞれ接続されている。
【０００５】
室内親機ＢＱ2の端子Ｔ23はＣＰＵ７０の制御出力側が接続された待受時・モニタ時切替リレー５５に設けられた接点５６の切換接点５６ｃと接続され、接点５６の常閉接点５６ｂはＬＥＤ電源回路５２の給電側と接続されている。
【０００６】
接点５６の常開接点５６ａとラインＬ12が接続された端子Ｔ24はそれぞれ映像阻止ローパスフィルタ５３と接続され、映像阻止ローパスフィルタ５３の映像阻止側（音声通過側）はコンデンサＣ13、コンデンサＣ12の一端とそれぞれ接続されている。
【０００７】
コンデンサＣ13の他端はハイブリット回路５７の２線側と接続され、コンデンサＣ12の他端は端子Ｔ26と接続されている。
【０００８】
ハイブリット回路５７の４線側の出力は受話アンプ５９ａを介して送受器５８の受話器５８ａと接続され、送受器５８の送話器５８ｂは送話アンプ５９ｂを介してハイブリット回路５７の４線側の入力と接続されている。
【０００９】
一端が電源＋Ｂと接続された室内親機側フックスイッチＨＳ11の他端は受話アンプ５９ａ、送話アンプ５９ｂ及びハイブリット回路５７の受電側とそれぞれ接続されている。
【００１０】
ＡＣ／ＤＣ変換回路６２の電源供給側はＬＥＤ電源回路５２の受電側、音声阻止ローパスフィルタ５４の音声阻止側及び増設インターホン電源供給回路６０の受電端子６０ａとそれぞれ接続されている。
【００１１】
増設インターホン電源供給回路６０に設けられた電源供給用トランジスタＱ11のエミッタは受電端子６０ａと接続され、電源供給用トランジスタＱ11のエミッタとベースの間には抵抗Ｒ11が接続されている。
【００１２】
電源供給用トランジスタＱ11のコレクタはダイオードＤ11のアノード、カソードを介して給電端子６０ｂと接続され、給電端子６０ｂは端子Ｔ25と接続されている。
【００１３】
電源供給用トランジスタＱ11のベースは抵抗Ｒ12を介して制御用トランジスタＱ12のコレクタと接続され、制御用トランジスタＱ12のエミッタは基準電位点と接続されている。
【００１４】
制御用トランジスタＱ12のベースには、一端が基準電位点に接続された抵抗Ｒ14の他端及び一端が制御用端子６０ｃに接続された抵抗Ｒ13の他端が共に接続されている。
【００１５】
制御用端子６０ｃはＣＰＵ７０の制御出力側が接続され、ＣＰＵ７０の制御入力側はフックアップ検出回路６１のフックアップ検出側と接続されている。フックアップ検出回路６１の入力側は端子Ｔ27と接続され、端子Ｔ28は基準電位点と接続されている。
【００１６】
端子Ｔ25〜Ｔ28は電源供給ラインＬ13、通話ラインＬ14、フックラインＬ15、基準電位点ラインＬ16を介して増設インターホンＣＱ2の端子Ｔ29〜Ｔ32がそれぞれ接続されている。
【００１７】
増設インターホンＣＱ2に設けられた定電圧回路７１の受電側は端子Ｔ29と接続され、給電側は受話アンプ７４ａ、送話アンプ７４ｂ及び２線４線変換回路７２の受電側とそれぞれ接続されている。
【００１８】
２線４線変換回路７２の２線側は端子Ｔ30と接続され、２線４線変換回路７２の４線側の出力は受話アンプ７４ａを介して送受器７３の受話器７３ａと接続されている。
【００１９】
送受器７３の送話器７３ｂは送話アンプ７４ｂを介して２線４線変換回路７２の４線側の入力と接続され、送受器７３のオフフック、オンフックに連動する増設インターホン側フックスイッチＨＳ12の一方の接点は端子Ｔ31と他方の接点は端子Ｔ32とそれぞれ接続されている。
【００２０】
このようなインターホン装置において、増設インターホンＣＱ2が玄関子機АＱ2と通話をするため、送受器７３を取り上げると、増設インターホン側フックスイッチＨＳ12が閉成され、端子Ｔ31とＴ32が短絡される。
【００２１】
これにより端子Ｔ32、Ｔ31、フックラインＬ15、室内親機ＢＱ2の端子Ｔ27を介してフックアップ検出回路６１の入力側がＬレベルになる。
【００２２】
フックアップ検出回路６１の入力側がＬレベルになると、フックアップ検出回路６１が能動となりＣＰＵ７０に対し、増設インターホンＣＱ2がフックアップしたことを知らせる。
【００２３】
フックアップを検出したＣＰＵ７０は待受時・モニタ時切替リレー５５を駆動させ接点５６の切換接点５６ｃと常開接点５６ａを閉成する。
【００２４】
また、ＣＰＵ７０は増設インターホン電源供給回路６０の制御用端子６０ｃへ制御信号を出力し、増設インターホン電源供給回路６０の制御用トランジスタＱ12をオンさせて、電源供給用トランジスタＱ11をオンさせる。
【００２５】
これにより、ＡＣ／ＤＣ変換回路６２の給電側から出力された電源が、増設インターホン電源供給回路６０の受電端子６０ａ、増設インターホン電源供給回路６０に設けられた電源供給用トランジスタＱ11のエミッタ、コレクタ、ダイオードＤ11のアノード、カソードを経由して給電端子６０ｂへ供給される。
【００２６】
給電端子６０ｂに電源が給電されると、端子Ｔ25、電源供給ラインＬ13、増設インターホンＣＱ2の端子Ｔ29を経由して定電圧回路７１が能動となり、定電圧を受話アンプ７４ａ、送話アンプ７４ｂ及び２線４線変換回路７２の受電側へ供給する。
【００２７】
また玄関子機ＡＱ2のマイク５１ｃで生成された上り音声信号は端子Ｔ21と端子Ｔ22を介してラインＬ11（本線）、Ｌ12（基準電位点線）へ送出され、本線側は室内親機ＢＱ2の端子Ｔ23、待受時・モニタ時切替リレー５５に設けられた接点５６の切換接点５６ｃ及び閉成された常開接点５６ａに至る経路で、基準電位点線側は端子Ｔ24から直接、映像阻止ローパスフィルタ５３へ送出され、映像阻止ローパスフィルタ５３の映像阻止側（音声通過側）及びコンデンサＣ12を経由して端子Ｔ26へ送出される。
【００２８】
端子Ｔ26へ送出された上り音声信号は、通話ラインＬ14から増設インターホンＣＱ2の端子Ｔ30へ入力され、２線４線変換回路７２の４線側から受話アンプ７４ａ、送受器７３の受話器７３ａへ出力される。
【００２９】
下り音声信号は送受器７３の送話器７３ｂから送話アンプ７４ｂを介して２線４線変換回路７２の４線側へ入力され２線４線変換回路７２の２線側から上り音声信号と同じ経路で玄関子機ＢＱ2へ送出され、増設インターホンＣＱ2と玄関子機АＱ2に設けられたスピーカ５１ｂで出力される。
【発明が解決しようとする課題】
【００３０】
従来のインターホン装置において、室内親機ＢＱ2の端子Ｔ25（増設インターホンＣＱ2に対する給電用）が誤接続などで端子Ｔ28（基準電位点端子）とショート状態の時、送受器７３がフックアップし、フックアップ検出回路６１の入力側がＬレベルとなると上記のように、ＣＰＵ７０の制御で増設インターホン電源供給回路６０の制御用トランジスタＱ12がオンとなり電源供給用トランジスタＱ11がオンとなる。
【００３１】
このためＡＣ／ＤＣ変換回路６２の電源供給側がショート状態となり、電源供給用トランジスタＱ11及びＡＣ／ＤＣ変換回路６２が破壊するという難点がある。
【００３２】
本発明は、このような難点を解消するためになされたもので、室内親機から増設インターホンへ給電する際、室内親機と増設インターホンを接続する電源供給ラインが誤接続等で短絡された場合、室内親機に設けられた電源供給回路を破壊から保護するインターホン装置を提供することを目的としている。
【課題を解決するための手段】
【００３３】
この目的を達成するため、本発明のインターホン装置は、玄関子機を室内親機を介して増設インターホンに接続し、室内親機は、玄関子機と通話を行なう増設インターホンの送受器のフックアップを検出するフックアップ検出回路と、フックアップ検出回路のフックアップ検出信号が入力されるＣＰＵの制御により増設インターホンの電源供給ラインを介して電源供給を行なう増設インターホン電源供給回路とを備え、増設インターホン電源供給回路は、フックアップ検出時にＣＰＵにより制御用端子へ制御信号が出力されてオンされる制御用トランジスタと、制御用トランジスタがオンのとき増設インターホンへの電源供給を行なう電源供給用トランジスタと、制御用トランジスタをスピードアップさせてオンさせるため制御用端子から制御用トランジスタに接続されたスピードアップ用コンデンサと、電源供給ラインがショートされているとき、電源供給用トランジスタによって電源供給ラインへ電源供給が行なわれていた場合、制御用トランジスタへのバイアスを減少させてオフさせるため制御用端子からダイオード及び抵抗を介して基準電位点へ至る直列回路から成るバイアス減少回路とを有する。
【００３４】
このようなテレビインターホン装置において、増設インターホンの送受器をフックアップするとフックアップ検出回路が動作する。
【００３５】
フックアップ検出回路が動作すると、フックアップ検出回路からＣＰＵへフックアップ検出信号が送出される。
【００３６】
ＣＰＵにフックアップ検出信号が入力されるとＣＰＵの制御により増設インターホン電源供給回路に設けられた制御用トランジスタがオンとなり、制御用トランジスタがオンとなると電源供給用トランジスタがオンとなり増設インターホンへ電源が供給される。
【００３７】
電源供給用トランジスタの出力側が誤接続等で基準電位点に接続されるとき、増設インターホンへ電源が供給されるとバイアス減少回路が動作し制御用トランジスタへのバイアスを減少させ電源供給用トランジスタがオフとなる。
【００３８】
ＣＰＵの制御用トランジスタを制御する際、スピードアップ用コンデンサにより制御用トランジスタのオン動作が速くなる。
【発明の実施の形態】
【００３９】
以下、本発明のインターホン装置をその一実施例について図１にしたがって詳述する。
【００４０】
本発明のインターホン装置は図１に示すように、カメラアイ１ａ、スピーカ１ｂ、マイク１ｃ、呼出釦１ｄを備えた玄関子機ＡＱ1と、ＬＥＤ電源回路２、映像阻止ローパスフィルタ３、音声阻止ローパスフィルタ４、常開接点６ａ、常閉接点６ｂ、切換接点６ｃからなる１組の接点６を有する待受時・モニタ時切替リレー５、ハイブリット回路７、受話器８ａ、送話器８ｂを有する送受器８、受話アンプ９ａ、送話アンプ９ｂ、増設インターホン電源供給回路１０、フックアップ検出回路１１、ＡＣ１００Ｖが入力されるＡＣ／ＤＣ変換回路１２及びＣＰＵ２０を備えた室内親機ＢＱ1と、定電圧回路２１、２線４線変換回路２２、受話器２３ａ、送話器２３ｂを有する送受器２３、受話アンプ２４ａ、送話アンプ２４ｂを備えた増設インターホンＣＱ1で構成される。
【００４１】
増設インターホン電源供給回路１０は電源供給用トランジスタＱ1、制御用トランジスタＱ2、ダイオードＤ2及び抵抗Ｒ6（バイアス減少回路）、スピードアップ用コンデンサＣ1を有している。
【００４２】
玄関子機ＡＱ1の端子Ｔ1と端子Ｔ2はラインＬ1、Ｌ2（本線及び基準電位点線）を介して室内親機ＢＱ1の端子Ｔ3と端子Ｔ4にそれぞれ接続されている。
【００４３】
室内親機ＢＱ1の端子Ｔ3はＣＰＵ２０の制御出力側が接続された待受時・モニタ時切替リレー５に設けられた接点６の切換接点６ｃと接続され、接点６の常閉接点６ｂはＬＥＤ電源回路２の給電側と接続されている。
【００４４】
接点６の常開接点６ａとラインＬ2が接続された端子Ｔ4はそれぞれ映像阻止ローパスフィルタ３と接続され、映像阻止ローパスフィルタ３の映像阻止側（音声通過側）はコンデンサＣ3、コンデンサＣ2の一端とそれぞれ接続されている。
【００４５】
コンデンサＣ3の他端はハイブリット回路７の２線側と接続され、コンデンサＣ2の他端は端子Ｔ6と接続されている。
【００４６】
ハイブリット回路７の４線側の出力は受話アンプ９ａを介して送受器８の受話器８ａと接続され、送受器８の送話器８ｂは送話アンプ９ｂを介してハイブリット回路７の４線側の入力と接続されている。
【００４７】
一端が電源＋Ｂと接続された室内親機側フックスイッチＨＳ1の他端は受話アンプ９ａ、送話アンプ９ｂ及びハイブリット回路７の受電側とそれぞれ接続されている。
【００４８】
ＡＣ／ＤＣ変換回路１２の電源供給側はＬＥＤ電源回路２の受電側、音声阻止ローパスフィルタ４の音声阻止側及び増設インターホン電源供給回路１０の受電端子１０ａとそれぞれ接続されている。
【００４９】
増設インターホン電源供給回路１０に設けられた電源供給用トランジスタＱ1のエミッタは受電端子１０ａと接続され、電源供給用トランジスタＱ1のエミッタとベースの間には抵抗Ｒ1が接続されている。
【００５０】
電源供給用トランジスタＱ1のコレクタは抵抗Ｒ5を介してダイオードＤ1のアノードと接続され、ダイオードＤ1のカソードは給電端子１０ｂを介して端子Ｔ5と接続されている。
【００５１】
電源供給用トランジスタＱ1のベースは抵抗Ｒ2を介して制御用トランジスタＱ2のコレクタと接続され、制御用トランジスタＱ2のエミッタは基準電位点と接続されている。
【００５２】
制御用トランジスタＱ2のベースには、一端が基準電位点に接続された抵抗Ｒ4の他端及び一端が制御用端子１０ｃに接続された抵抗Ｒ3の他端が共に接続されている。
【００５３】
また、抵抗Ｒ3の両端にはスピードアップ用コンデンサＣ1が接続され、制御用端子１０ｃにはダイオードＤ2のアノードが接続されダイオードＤ2のカソードは抵抗Ｒ6を介して給電端子１０ｂと接続されている。
【００５４】
ダイオードＤ2のカソードと抵抗Ｒ6の接続点には一端が基準電位点に接続された抵抗Ｒ7の他端が接続されている。
【００５５】
制御用端子１０ｃにはＣＰＵ２０の制御出力側が接続され、ＣＰＵ２０の制御入力側はフックアップ検出回路１１のフックアップ検出側と接続されている。フックアップ検出回路１１の入力側は端子Ｔ7と接続され、端子Ｔ8は基準電位点と接続されている。
【００５６】
端子Ｔ5〜Ｔ8は電源供給ラインＬ3、通話ラインＬ4、フックラインＬ5、基準電位点ラインＬ6を介して増設インターホンＣＱ1の端子Ｔ9〜Ｔ12がそれぞれ接続されている。
【００５７】
増設インターホンＣＱ1に設けられた定電圧回路２１の受電側は端子Ｔ9と接続され、給電側は受話アンプ２４ａ、送話アンプ２４ｂ及び２線４線変換回路２２の受電側とそれぞれ接続されている。
【００５８】
２線４線変換回路２２の２線側は端子Ｔ10と接続され、２線４線変換回路２２の４線側の出力は受話アンプ２４ａを介して送受器２３の受話器２３ａと接続されている。
【００５９】
送受器２３の送話器２３ｂは２線４線変換回路２２の４線側の入力と接続され、送受器２３のオフフック、オンフックに連動する増設インターホン側フックスイッチＨＳ2の一方の接点は端子Ｔ11と他方の接点は端子Ｔ12とそれぞれ接続されている。
【００６０】
このようなインターホン装置において、従来回路と同様、送受器２３を取り上げると、増設インターホン用フックスイッチＨＳ2の一方及び他方の接点が閉成され、端子Ｔ11とＴ12が短絡される。
【００６１】
これにより端子Ｔ12、Ｔ11、フックラインＬ5、室内親機ＢＱ1の端子Ｔ7を介してフックアップ検出回路１１の入力側がＬレベルになる。
【００６２】
フックアップ検出回路１１の入力側がＬレベルになると、フックアップ検出回路１１が能動となりＣＰＵ２０に対し、増設インターホンＣＱ1がフックアップしたことを知らせる。
【００６３】
フックアップを検出したＣＰＵ２０は増設インターホン電源供給回路１０の制御用端子１０ｃへＨレベル信号を出力する。
【００６４】
このＨレベル信号が出力された時、スピードアップ用コンデンサＣ1により制御用トランジスタＱ2のベースへＨレベル信号をすぐに伝わるようにし、これにより、制御用トランジスタＱ2、電源供給用トランジスタＱ1が早くオンし、ダイオードＤ2のカソード電圧を早く立ち上げる。
【００６５】
それで、抵抗Ｒ6とＲ7の分圧電圧となるダイオードＤ2のカソード電圧が、Ｈレベル信号の電圧より高くなる為、ダイオードＤ2はカットオフし、ＣＰＵ２０からのＨレベル信号は定常時は制御用端子１０ｃを介して抵抗Ｒ3から制御用トランジスタＱ2のベースに至る経路にすべて流れるので、制御用トランジスタＱ2は確実にオンする。
【００６６】
このため電源供給用トランジスタＱ1のベースは抵抗Ｒ2を通し、制御用トランジスタＱ2のコレクタ、エミッタを経由して基準電位点に接続される。
【００６７】
電源供給用トランジスタＱ1がオンし、電源供給用トランジスタＱ1のエミッタが接続されている受電端子１０ａに接続されている１８Ｖ電源が電源供給用トランジスタＱ1のコレクタから給電端子１０ｂに出力され端子Ｔ5から電源供給ラインＬ3、増設インターホンＣＱ1の端子Ｔ9を経由し、増設インターホンＣＱ1に１８Ｖ電源が供給される。
【００６８】
誤接続等で端子Ｔ5とＴ8（基準電位点端子）がショートしている状態で、送受器２３が取り上げられた場合は、増設インターホン電源供給回路１０の制御用端子１０ｃに出力されたＨレベル信号がダイオードＤ2のアノード、カソードから抵抗Ｒ6給電端子１０ｂ、端子Ｔ5及び電源供給ラインＬ3を経由して端子Ｔ8へ流れる為、制御用トランジスタＱ2のバイアスが減少し、制御用トランジスタＱ2がオフとなる。
【００６９】
これにより、電源供給用トランジスタＱ1もオフとなり、給電端子１０ｂ、端子Ｔ5及び電源供給ラインＬ3を経由して出力されていた１８Ｖ電源が停止し、ＡＣ／ＤＣ変換回路１２及び電源供給用トランジスタＱ1等の回路が破壊から保護される。
【００７０】
尚、玄関子機ＡＱ1のマイク１ｃで生成された上り音声信号は増設インターホンＣＱ1に設けられた送受器２３の受話器２３ａで受話され、送受器２３の送話器２３ｂで生成された下り音声信号が玄関子機ＡＱ1のスピーカ１ｂから送出させる動作は従来と同じであるから説明を省略する。
【発明の効果】
【００７１】
以上の説明から明らかなように、本発明のテレビドアホン装置によれば、室内親機と増設インターホンを接続するラインが誤接続等で短絡している場合において、増設インターホンの送受器のフックアップ時に、室内親機の増設インターホン電源供給回路に設けたバイアス減少回路により制御用トランジスタのバイアスが減少し、それによって電源供給を停止させて回路が破壊されるのを保護することができるとともにＣＰＵの制御用トランジスタを制御する際、スピードアップ用コンデンサにより制御用トランジスタのオン動作が速くなる。
【図面の簡単な説明】
【００７２】
【図１】本発明によるインターホン装置の一実施例を示すブロック図。
【図２】従来のインターホン装置のブロック図。
【符号の説明】
【００７３】
ＡＱ1‥‥‥玄関子機
ＢＱ1‥‥‥室内親機
ＣＱ1‥‥‥増設インターホン
Ｌ3‥‥‥電源供給ライン
１０‥‥‥増設インターホン電源供給回路
１０ｃ‥‥‥制御用端子
１１‥‥‥フックアップ検出回路
２０‥‥‥ＣＰＵ
２３‥‥‥送受器
Ｑ1‥‥‥電源供給用トランジスタ
Ｑ2‥‥‥制御用トランジスタ
Ｃ1‥‥‥スピードアップ用コンデンサ
Ｄ2‥‥‥ダイオード（バイアス減少回路）
Ｒ6‥‥‥抵抗（バイアス減少回路）
【図１】
0003624056.tif 000002
【図２】
0003624056.tif 000003